(57)【特許請求の範囲】
【請求項１】
相互に通信可能に構成された熱源機及び端末を備え、
前記熱源機は、所定の通信周期で前記端末に対して第１データを送信し、
前記端末は、前記第１データを受信した時点に基づいて前記通信周期内で設定されたタイミングにより、前記熱源機に第２データを送信する
熱源システムにおいて、
前記端末は、使用者の操作に応じて、前記端末を第１状態と該第１状態よりも消費電力が少ない第２状態とに切替える状態切替部と、前記端末が該第１状態と該第２状態のいずれであるかを示す情報を含む前記第２データを送信する端末状態伝達部とを有し、
前記熱源機は、前記端末が前記第１状態であるときは前記通信周期を第１通信周期に設定し、前記端末が前記第２状態であるときには前記通信周期を前記第１通信周期よりも長い第２通信周期に設定する通信周期設定部を有する
ことを特徴とする熱源システム。
【請求項２】
請求項１記載の熱源システムにおいて、
前記端末を複数台備え、
前記通信周期設定部は、各端末がいずれも前記第２状態であるときに、前記通信周期を前記第２通信周期とし、各端末のいずれかが前記第１状態であるときには、前記通信周期を前記第１通信周期に設定することを特徴とする熱源システム。
【請求項３】
請求項１又は請求項２記載の熱源システムにおいて、
前記端末は、前記第２状態であるときに前記熱源機から前記第１データを受信したときには、前記熱源機に伝達すべき情報があるときに限定して、該情報を含む前記第２データを前記熱源機に送信することを特徴とする熱源システム。
【請求項４】
請求項３記載の熱源システムにおいて、
前記端末は、前記第２状態であるときに、前記第２データを前記熱源機に送信することなく、前記熱源機から前記第１データを所定回数以上受信したときには、前記熱源機に対して通信が確立されていることを示す情報を含む前記第２データを送信することを特徴とする熱源システム。
【請求項５】
請求項１から請求項４のうちいずれか１項記載の熱源システムにおいて、
前記端末は、前記熱源機を遠隔操作するためのリモコンであり、前記第１状態は該リモコンの表示部を常時表示状態とする通常表示モードであり、前記第２状態は該リモコンの操作が所定時間以上なされていない状況であるときに該リモコンの表示部を消灯する省電力表示モードであることを特徴とする熱源システム。
【請求項６】
請求項１から請求項４のうちいずれか１項記載の熱源システムにおいて、
前記端末は、前記熱源機を遠隔操作するためのリモコンであって、該リモコンは、前記熱源機を発熱運転が可能な運転状態と発熱運転が不能な待機状態とに切替える運転スイッチを有し、
前記第１状態は、前記熱源機が運転状態であるときに前記リモコンの表示部を常時表示状態とする通常表示モードであり、前記第２状態は、前記熱源機が待機状態であるときに前記リモコンの表示部を常時消灯状態とする待機表示モードであることを特徴とする熱源システム。
【請求項７】
請求項１から請求項４のうちいずれか１項記載の熱源システムにおいて、
前記端末は、前記熱源機から供給される温水を熱源として暖房を行う温水暖房端末であり、前記第１状態は該温水暖房端末が暖房運転を行なっている暖房運転状態であり、前記第２状態は該温水暖房端末が暖房運転を停止している暖房停止状態であることを特徴とする熱源システム。
【発明の詳細な説明】
【技術分野】
【０００１】
本発明は、給湯配管への湯の供給や温水暖房端末への温水の供給を行う熱源システムの通信制御に関する。
【背景技術】
【０００２】
通信機器における省電力のための構成として、例えばネットワークを介してデータを送受信するＬＡＮボードにおいて、ＬＡＮ上のパケットデータの流れを常時監視しつつ、自ノード宛のパケットデータがなくなり、且つ、送信すべきデータもない状態が一定時間継続すると、ＬＡＮボードが省電力動作モードによる動作待機状態となる構成が提案されている（例えば、特許文献１参照）。
【０００３】
特許文献１のＬＡＮボードは、省電力動作モードになると、動作クロックの周波数を下げると共に、自ノード宛のパケットデータをチェックするための回路以外の回路に対する電力供給をカットすることで、通常の動作モードに比べて消費電力を低減させている。
【先行技術文献】
【特許文献】
【０００４】
【特許文献１】特開２００３−１０８２７３号公報
【発明の概要】
【発明が解決しようとする課題】
【０００５】
熱源システムにおける熱源機とその端末（リモコン、温水暖房端末等）間の通信仕様として、熱源機から各端末に対して所定の通信周期でパケットデータを送信し、各端末は熱源機からのパケットデータを受信した時点を基準として、各端末毎に異なるタイミングに設定されたタイミングで、熱源機に対してパケットデータを送信する仕様が採用されている。
【０００６】
上記通信仕様においては、通信周期を長く設定することで、熱源機及び各端末の送信頻度を低くして消費電力を低減することができる。しかし、通信周期を長く設定すると、各端末で使用者による操作がなされてから、この操作に応じたパケットデータが熱源機に送信されるまでの時間遅れ（応答遅れ）により、使用者の使い勝手が悪くなるとという不都合が生じ得る。
【０００７】
本発明はかかる背景を鑑みてなされたものであり、端末における使用者の使い勝手の悪化を抑制しつつ、通信に伴う消費電力を低減させた熱源システムを提供することを目的とする。
【課題を解決するための手段】
【０００８】
本発明は上記目的を達成するためになされたものであり、相互に通信可能に構成された熱源機及び端末を備え、前記熱源機は、所定の通信周期で前記端末に対して第１データを送信し、前記端末は、前記第１データを受信した時点に基づいて前記通信周期内で設定されたタイミングにより、前記熱源機に第２データを送信する熱源システムに関する。
【０００９】
そして、前記端末は、使用者の操作に応じて、前記端末を第１状態と該第１状態よりも消費電力が少ない第２状態とに切替える状態切替部と、前記端末が該第１状態と該第２状態のいずれであるかを示す情報を含む前記第２データを送信する端末状態伝達部とを有し、前記熱源機は、前記端末が前記第１状態であるときは前記通信周期を第１通信周期に設定し、前記端末が前記第２状態であるときには前記通信周期を前記第１通信周期よりも長い第２通信周期に設定する通信周期設定部を有することを特徴とする（第１発明）。
【００１０】
第１発明によれば、使用者の操作に応じて前記端末が前記第１状態と前記第２状態とに切り換わる。そして、前記端末状態伝達部により、前記端末が前記第１状態と前記第２状態のいずれかであるかを示す情報を含む前記第２データが、前記熱源機に送信される。この第２データの受信により、前記熱源機は前記端末が前記第１状態であるか前記第２状態であるかを認識することができ、前記通信周期設定部は、前記端末が前記第２状態であるときの通信周期を、前記端末が前記第１状態であるときの通信周期である前記第１通信周期よりも長い前記第２通信周期とする。
【００１１】
これにより、前記端末が前記第２状態であるときの前記端末及び前記熱源機の通信頻度を低くして、前記端末及び前記熱源機の消費電力を低減することができる。そして、この場合、前記第１状態での端末の応答性は低下せず、また、前記第２状態での端末の応答性の低下は、使用者の操作による前記第２状態への切り替えに起因するものなので、この応答性の低下はある程度使用者が想定したものとなる。そのため、応答性の低下による端末の使い勝手の悪化を抑制することができる。
【００１２】
また、前記端末を複数台備え、前記通信周期設定部は、各端末がいずれも前記第２状態であるときに、前記通信周期を前記第２通信周期とし、各端末のいずれかが前記第１状態であるときには、前記通信周期を前記第１通信周期に設定することを特徴とする（第２発明）。
【００１３】
第２発明によれば、前記通信周期設定部は、前記複数の端末がいずれも前記第２状態であるときに、前記通信周期を前記第２通信周期とする。そのため、前記第２状態となっていない端末を操作した使用者に、使い勝手の悪化を感じさせることを防止することができる。
【００１４】
また、前記端末は、前記第２状態であるときに前記熱源機から前記第１データを受信したときには、前記熱源機に伝達すべき情報があるときに限定して、該情報を含む前記第２データを前記熱源機に送信することを特徴とする（第３発明）。
【００１５】
第３発明によれば、前記端末から前記熱源機に対して、不必要な前記第２データが送信されることを回避して、前記端末の消費電力をさらに低減することができる。
【００１６】
また、前記端末は、前記第２状態であるときに、前記第２データを前記熱源機に送信することなく、前記熱源機から前記第１データを所定回数以上受信したときには、前記熱源機に対して通信が確立されていることを示す情報を含む前記第２データを送信することを特徴とする（第４発明）。
【００１７】
第４発明によれば、前記熱源機に伝達すべき情報がないときであっても、前記熱源機から前記第１データを前記所定回数以上受信したタイミングで、前記端末から前記熱源機に対して、前記熱源機に対して通信が確立されていることを示す情報を含む前記第２データを送信して、通信が確立されていることを前記熱源機に認識させることができる。
【００１８】
また、第１発明から第４発明のうちのいずれかにおいて、前記端末は、前記熱源機を遠隔操作するためのリモコンであり、前記第１状態は該リモコンの表示部を常時表示状態とする通常表示モードであり、前記第２状態は該リモコンの操作が所定時間以上なされていない状況であるときに該リモコンの表示部を消灯する省電力表示モードであることを特徴とする（第５発明）。
【００１９】
第５発明において、使用者が前記リモコンを操作しないことにより、前記省電力表示モードとなるのは、使用者が前記リモコンを操作しない状況が継続している場合であるから、省電力表示モードでは、使用者が熱源機の運転状態等を変更するために前記リモコンを操作する頻度が低いと想定される。そこで、前記リモコンが省電力表示モードであるときに、前記通信周期を前記第２周期とすることによって、通信による前記熱源機及び前記リモコンの電力消費を低減しつつ、使用者による前記リモコンの使い勝手が悪くなることを抑制することができる。
【００２０】
また、第１発明から第４発明のうちのいずれかにおいて、前記端末は、前記熱源機を遠隔操作するためのリモコンであって、該リモコンは、前記熱源機を発熱運転が可能な運転状態と発熱運転が不能な待機状態とに切替える運転スイッチを有し、前記第１状態は、前記熱源機が運転状態であるときに前記リモコンの表示部を常時表示状態とする通常表示モードであり、前記第２状態は、前記熱源機が待機状態であるときに前記リモコンの表示部を常時消灯状態とする待機表示モードであることを特徴とする（第６発明）。
【００２１】
第６発明において、使用者が前記リモコンを操作して前記熱源機を待機状態にするのは、前記熱源機の発熱運転を実行させない場合であり、次に前記熱源機を運転状態に復帰させるときまで使用者が前記リモコンを操作することはない。そこで、熱源機が待機状態であるときに、前記通信周期を前記第２周期とすることによって、通信による前記熱源機及び前記リモコンの電力消費を低減しつつ、使用者による前記リモコンの使い勝手が悪くなることを抑制することができる。
【００２２】
また、第１発明から第４発明のうちのいずれかにおいて、前記端末は、前記熱源機から供給される温水を熱源として暖房を行う温水暖房端末であり、前記第１状態は該温水暖房端末が暖房運転を行なっている暖房運転状態であり、前記第２状態は該温水暖房端末が暖房運転を停止している暖房停止状態であることを特徴とする（第７発明）。
【００２３】
第７発明において、使用者が前記温水暖房端末を操作して暖房停止状態にしたときには、次に前記温水暖房端末の暖房運転を開始するときまで、使用者は前記温水暖房端末を操作しない。そこで、前記温水暖房端末が暖房停止状態であるときに、前記通信周期を前記第２通信周期とすることによって、通信による前記熱源機及び前記温水暖房端末の電力消費を低減しつつ、使用者に前記温水暖房端末の使い勝手の悪化を感じさせることを抑制することができる。
【図面の簡単な説明】
【００２４】
【図１】熱源システムの構成図。
【図２】図１に示した熱源システムの制御ブロック図。
【図３】熱源機における通信周期設定のフローチャート。
【図４】各リモコン及び温水暖房端末機におけるデータ送信のフローチャート。
【図５】熱源機と各リモコン及び温水暖房端末機間の通信タイミングチャート。
【発明を実施するための形態】
【００２５】
本発明の実施形態について、図１〜図５を参照して説明する。図１を参照して、本実施形態の熱源システムは、熱源機１と、熱源機１を遠隔操作するための台所リモコン２０及び浴室リモコン４０と、２台の温水暖房端末（床暖房機、温風暖房機等）６０，８０とにより構成されている。なお、台所リモコン２０、浴室リモコン４０、温水暖房端末６０、及び温水暖房端末８０は、本発明の端末に相当する。
【００２６】
熱源機１と、台所リモコン２０、浴室リモコン４０、温水暖房端末６０、及び温水暖房端末８０とは、通信線５により接続されて、相互にデータ通信を行う。熱源機１は、図示しないＣＰＵ，メモリ等により構成された電子ユニットであるコントローラ１０により、全体的な作動が制御される。
【００２７】
熱源機１は、図示しない熱交換器で加熱された温水を、図示しない温水循環回路を経由して、温水暖房端末６０，８０に循環供給する暖房運転を実行する。また、熱源機１は、図示しない給水管から供給される水を加熱して図示しない給湯管に出湯する給湯運転を実行する。
【００２８】
台所リモコン２０は、熱源機１の運転状況等を表示する表示器２１、及び、熱源機１を、給湯運転（本発明の発熱運転に相当する）及び暖房運転（本発明の発熱運転に相当する）の実行が可能な運転状態と、給湯運転及び暖房運転の実行が不能な待機状態とに切替える運転スイッチ２２を備えている。
【００２９】
また、台所リモコン２０は、表示器２１を常時点灯させる通常表示モード（本発明の第１状態に相当する）と、台所リモコン２０のいずれのスイッチも操作されない状態が所定時間継続したときに、表示器２１を消灯する省電力表示モード（本発明の第２状態に相当する）とを切替える機能を備えている。
【００３０】
同様に、浴室リモコン４０も、熱源機１の運転状況等を表示する表示器４１、及び、熱源機１を運転状態と待機状態に切替える運転スイッチ４２を備えている。また、浴室リモコン４０も、表示器４１を常時点灯させる通常表示モード（本発明の第１状態に相当する）から、浴室リモコン４０のいずれのスイッチも操作されない状態が所定時間継続したときに、表示器４１を消灯する省電力表示モード（本発明の第２状態に相当する）に切替える機能を備えている。
【００３１】
なお、熱源機１が待機状態であるときは、台所リモコン２０は表示器２１を常時消灯状態とする待機表示モード（本発明の第２状態に相当する）となり、また、浴室リモコン４０も表示器４１を常時消灯状態とする待機表示モード（本発明の第２状態に相当する）となる。
【００３２】
温水暖房端末６０は、温水暖房端末６０の暖房運転の開始／停止、加熱能力の切換等を指示するための端末リモコン６１を備えている。同様に、温水暖房端末８０も、温水暖房端末８０の暖房運転の開始／停止、加熱能力の切換等を指示するための端末リモコン８１を備えている。
【００３３】
次に、図２を参照して、熱源機１のコントローラ１０は、メモリに保持された熱源機１の制御用プログラムをＣＰＵで実行することにより、給湯運転を実行する給湯制御部１１、暖房運転を実行する暖房制御部１２、台所リモコン２０，浴室リモコン４０，温水暖房端末６０，８０との通信を行う通信制御部１４、及び、通信制御部１４による通信周期を設定する通信周期設定部１３として機能する。
【００３４】
また、台所リモコン２０は、図示しないＣＰＵ、メモリ等により構成されたコントローラ３０により全体の作動が制御され、メモリに保持された台所リモコン２０の制御用プログラムをＣＰＵで実行することにより、コントローラ３０は、台所リモコン２０を通常表示モードと省電力表示モードとに切替える状態切替部３１、及び熱源機１との通信を行う通信制御部３２として機能する。なお、通信制御部３２が、台所リモコン２０が通常表示モードであるか省電力表示モードであるかを示す情報を含むデータを、熱源機１に送信する機能が本発明の端末状態伝達部に相当する。
【００３５】
同様に、浴室リモコン４０も、図示しないＣＰＵ、メモリ等により構成されたコントローラ５０により全体の作動が制御され、メモリに保持された浴室リモコン４０の制御用プログラムをＣＰＵで実行することにより、コントローラ５０は、浴室リモコン４０を通常表示モードと省電力表示モードとに切替える状態切替部５１、及び熱源機１との通信を行う通信制御部５２として機能する。なお、通信制御部５２が、浴室リモコン４０が通常表示モードであるか省電力表示モードであるかを示す情報を含むデータを、熱源機１に送信する機能が本発明の端末状態伝達部に相当する。
【００３６】
温水暖房端末６０は、図示しないＣＰＵ、メモリ等により構成されたコントローラ７０により全体の作動が制御され、メモリに保持された温水暖房端末６０の制御用プログラムをＣＰＵで実行することにより、コントローラ７０は、端末リモコン６１の操作に応じて温水暖房端末を暖房運転状態（暖房運転を実行中の状態、本発明の第１状態に相当する）と暖房停止状態（暖房運転を停止した状態、本発明の第２状態に相当する）とに切替える状態切替部７１、及び熱源機１との通信を行う通信制御部７２として機能する。なお、通信制御部７２が、温水暖房端末６０が運転状態であるか待機状態でるあるかを示す情報を含むデータを、熱源機１に送信する機能が本発明の端末情報伝達部に相当する。
【００３７】
同様に、温水暖房端末８０は、図示しないＣＰＵ、メモリ等により構成されたコントローラ９０により全体の作動が制御され、メモリに保持された温水暖房端末８０の制御用プログラムをＣＰＵで実行することにより、コントローラ９０は、端末リモコン８１の操作に応じて温水暖房端末を暖房運転状態（本発明の第１状態に相当する）と暖房停止状態（暖房運転を停止した状態、本発明の第２状態に相当する）とに切替える状態切替部９１、及び熱源機１との通信を行う通信制御部９２として機能する。なお、通信制御部９２が、温水暖房端末６０が運転状態であるか待機状態でるあるかを示す情報を含むデータを、熱源機１に送信する機能が本発明の端末情報伝達部に相当する。
【００３８】
ここで、熱源機１と台所リモコン２０，浴室リモコン４０，温水暖房端末６０，８０とは、図５（ａ）に示したように、熱源機１から送信されるデータ（第１データ）に基づいて通信を行う。すなわち、第１データの送信タイミング（図中熱源と表記、ｔ10〜ｔ11，ｔ20〜ｔ21，ｔ30〜ｔ31）を基準として、通信周期Ｔ1における浴室リモコン４０の送信タイミング（図中ＢＣと表記、ｔ12〜ｔ13，ｔ22〜ｔ23）、台所リモコン２０の送信タイミング（図中ＭＣと表記、ｔ14〜ｔ15，ｔ24〜ｔ25）、温水暖房端末６０の送信タイミング（図中ＨＴ1と表記、ｔ16〜ｔ17，ｔ26〜ｔ27)、及び、温水暖房端末８０の送信タイミング（図中ＨＴ2と表記、ｔ18〜ｔ19，ｔ28〜ｔ29）が規定されている。
【００３９】
そして、通信周期設定部１３は、図３に示したフローチャートによる処理によって、通信周期をＴ1（例えば２５０msec）とＴ1よりも長いＴ2（例えば６００msec）に切替えて設定する。
【００４０】
図３のＳＴＥＰ１で、通信周期設定部１３は、熱源機１が待機状態であるか否かを判断する。ここで、熱源機１が待機状態であるときは、上述したように、台所リモコン２０及び浴室リモコン４０は待機表示モードとなり、台所リモコン２０の表示器２１及び浴室リモコン４０の表示器４１は、常時消灯状態となっている。
【００４１】
熱源機１が待機状態であるときはＳＴＥＰ２に進み、通信周期設定部１３は、熱源機１の異常がないか否かを判断する。熱源機１の異常がないときはＳＴＥＰ３に進み、通信周期設定部１３は、通信周期をＴ2（＞Ｔ1）に設定してＳＴＥＰ１に戻る。このように、通信周期を長くすることにより、熱源機１と各リモコン２０，４０及び各温水暖房端末６０，８０の通信頻度を低くして、通信に伴う電力消費を低減することができる。
【００４２】
また、ＳＴＥＰ１で熱源機１が待機状態でなかったときにはＳＴＥＰ１０に分岐し、通信周期設定部１３は、各リモコン２０，４０及び各温水暖房端末６０，８０から受信したデータ（第２データ）により、各リモコン２０，４０がいずれも省電力表示モードであり、且つ、各温水暖房端末６０，８０がいずれも暖房停止状態であるか否かを判断する。そして、各リモコン２０，４０がいずれも省電力表示モードであり、且つ、各温水暖房端末６０，８０がいずれも暖房停止状態であるときにはＳＴＥＰ２に分岐する。
【００４３】
ここで、使用者が熱源機１を待機状態にするのは、使用者が熱源機１を使用しないときであり、次に熱源機１を使用する時まで、使用者が各リモコン２０，４０の表示器２１，４１を視認することはない。また、各リモコン２０，４０が省電力表示モードに切り換わるのは、使用者による各リモコン２０，４０の操作頻度が低く、表示器２１，４１に表示される熱源機１の運転状況等を視認する頻度が低い場合である。
【００４４】
また、温水暖房端末６０，８０が暖房停止状態であるときは、次に暖房運転の開始操作をするまで、使用者が端末リモコン６１，８１を操作することはない。そのため、ＳＴＥＰ３で、通信周期をある程度長くしても、応答遅れにより使用者が使い勝手の悪化を感じることは少ないと想定される。
【００４５】
また、熱源機１の異常が生じていなければ、各リモコン２０，４０及び温水暖房端末６０，８０に、速やかな異常対処を促す必要もない。そのため、通信周期をある程度長くしても、異常対処の遅れは生じない。
【００４６】
一方、ＳＴＥＰ１０で、各リモコン２０，４０の少なくともいずれか一方が通常表示モードであるか、各温水暖房端末６０，８０の少なくともいずれか一方が暖房運転状態であるときには、ＳＴＥＰ１１に分岐する。また、ＳＴＥＰ２で熱源機１に異常が生じているときにも、ＳＴＥＰ１１に分岐する。そして、通信周期設定部１３は、通信周期をＴ1（＜Ｔ2）に設定してＳＴＥＰ１に戻る。
【００４７】
このように、リモコン２０，４０のいずれかが通常表示モードになっているときは、使用者が表示器２１，４１を確認する頻度が高いと想定される。また、熱源機１に異常が生じているときは、異常内容を速やかに各リモコン２０，４０と温水暖房端末６０，８０に伝達して、異常報知を行なうと共に暖房運転の中止等の措置をとる必要がある。そこで、これらの場合に通信周期を短いＴ1に設定することで、使用者の使い勝手を高く維持することができると共に、速やかな異常対処を行うことができる。
【００４８】
図５（ｂ）は、通信周期設定部１３により、通信周期をＴ2に設定した場合の通信タイミングチャートである。熱源機１の送信タイミング（図中熱源で表示、ｔ40〜ｔ41，ｔ50〜ｔ51）に基づく、浴室リモコン２０の送信タイミング（図中ＢＣで表記、ｔ42〜ｔ43、ｔ52〜ｔ53）、台所リモコン４０の送信タイミング（図中ＭＣで表記、ｔ44〜ｔ45，ｔ54〜ｔ55）、温水暖房機６０の送信タイミング（図中ＨＴ1で表記、ｔ46〜ｔ47）、及び温水暖房機８０の送信タイミング（図中ＨＴ2で表記、ｔ48〜ｔ49）は変わらないが、熱源機１の送信タイミングの間隔が広がっている。
【００４９】
次に、図４を参照して、リモコン２０，４０及び温水暖房端末６０，８０からの第２データの送信条件について説明する。リモコン２０，４０の通信制御部３２，５２は、ＳＴＥＰ３０で省電力表示モードであったときはＳＴＥＰ３１に進み、自身の状態が変化（使用者によるスイッチ操作があった等）したか否かを判断する。
【００５０】
そして、自身の状態が変化したときはＳＴＥＰ４０に分岐してデータを送信し、自身の状態が変化していないときにはＳＴＥＰ３２に進んでデータの送信を行わない。このように、状態の変化がなく、熱源機１に伝達すべき情報がないときに、データ送信を行わないようにすることによって、データ送信に伴うリモコン２０，４０の電力消費を低減することができる。
【００５１】
なお、温水暖房端末６０，８０も、同様にして、自身の状態が変化していないときには、データ送信を行ないようにして、データ送信に伴う電力消費を低減している。
【００５２】
図５（ｃ）は、図４に示した処理を行った場合の熱源機１とリモコン２０，４０及び温水暖房端末６０，８０との通信タイミングチャートを示したものである。ｔ60〜ｔ70の通信周期では、リモコン２０，４０及び温水暖房端末６０，８０の状態の変化がないために、データの送信が行われていない。
【００５３】
また、次のｔ70〜ｔ80の通信周期では、台所リモコン２０の状態の変化があったため、台所リモコン２０からデータが送信されている（ｔ74〜ｔ75）。続くｔ80〜の通信周期では、浴室リモコン４０の状態の変化があったため、浴室リモコン２０からデータが送信されている（ｔ82〜ｔ83）。
【００５４】
ここで、リモコン２０，４０及び温水暖房端末６０，８０からデータが送信されない通信周期が続くと、熱源機１側で、リモコン２０，４０及び温水暖房端末６０，８０との通信が正常に行われているか否かを認識することができない。そこで、状態が変化せずにデータを送信しなかった通信周期が所定回以上続いたときには、通信が正常に行われていることを伝達するために、熱源機１にデータを送信するようにしてもよい。
【００５５】
なお、本実施の形態では、本発明の端末として台所リモコン２０、浴室リモコン４０、温水暖房端末６０、及び温水暖房端末８０を備えた熱源システムを示したが、熱源機とそのリモコンのみからなる熱源システム、熱源機と温水暖房端末のみからなる熱源システム等、他の構成による熱源機とその端末からなる熱源システムに対しても、本発明の適用が可能である。
【００５６】
熱源機とそのリモコンのみからなる熱源システムにおいては、図３のＳＴＥＰ１０の判断条件が、「全リモコンが省電力表示モード？」となり、熱源機と温水暖房端末のみからなる熱源システムにおいては、図３のＳＴＥＰ１０の判断条件が「全温水暖房端末が暖房停止状態？」となる。
【符号の説明】
【００５７】
１…熱源機、５…通信ケーブル、１０…（熱源機の）コントローラ、１３…通信周期設定部、２０…台所リモコン、３０…（台所リモコンの）コントローラ、３１…（台所リモコンの）状態切替部、３２…（台所リモコンの）通信制御部、４０…浴室リモコン、５０…（浴室リモコンの）コントローラ、５１…（浴室リモコンの）状態切替部、５２…（浴室リモコンの）通信制御部、７０，８０…（温水暖房端末の）コントローラ、７１，９１…（温水暖房端末の）状態切替部、７２，９２…（温水暖房端末の）通信制御部。
【図１】
0005379175.tif 000002
【図２】
0005379175.tif 000003
【図３】
0005379175.tif 000004
【図４】
0005379175.tif 000005
【図５】
0005379175.tif 000006